Podtech/llm-jp-corpus-v4-ja_patent huggingface dataset:
(57)【要約】［課題］夜光時計が暗がりの中で何時も光っているようにしたい。［解決手段］ウオッチやクロックにおいて、文字盤の数字や目盛及び針に自然発光塗料を塗って暗がりの中で何時も光って見えるようにした、ルミナスウオッチ及びルミナスクロックとそして詰めてルミナスと呼ぶことにする、ウオッチやクロック。【選択図】なし。【特許請求の範囲】
【請求項１】
ウオッチやクロックにおいて、文字盤の数字や目盛及び針に自発光塗料を塗って暗がりの中で何時も光って見えるようにした、ルミナスウオッチ及びルミナスクロックとそして詰めてルミナスと呼ぶことにする、ウオッチやクロック。
【発明の詳細な説明】
【０００１】
［発明の属する技術分野］
本発明は時計に関する発明である。
【０００２】
［発明が解決しようとする課題］
私は本年６月２９日にＺｉｐｐｏのウオッチを求めた。そして最近になって所謂夜行時計であることにやっと気付いた。それほどこの夜光時計は光らない。これは何もこのＺｉｐｐｏに限ったことではない。１９７０年頃に求めたリズム時計のクロックＰｉｒｉｃａを今取り出してみると、矢張り強い光に当てた後短時間だけ光るのみである。そして１９５５年頃の夜光時計のことを思い出してみてもこれらと全く同じ状態のものであった。スイスのどのメーカーがそもそも夜光時計と言うものを発明したのか知らないが、それ以来今日まで、これに不便は感じても、誰も夜光時計とはこんなものだと改良の可能性があることに気付かなかった。
これらに用いられているのは可視光線を当てるとその後暫くの間発光を続けると言う畜光塗料（夜光塗料）と呼ばれているものである。
【０００３】
［課題を解決するための手段］
そこで、夜光塗料に代えて何時でも光っていて暗がりの中でもよく光る自発光塗料を用いることに気付いた。自発光塗料とは蛍光顔料にラジウムやメソトリウムなどの放射性物質を混合して、光を当てるなどの外部より全く刺激がなくても発光するようにした塗料である。
【０００４】
［発明の実施の形態］
本発明の形態は「特許請求の範囲」に簡潔に述記してある。
【０００５】
［発明の効果］
「０００２」において述べたように、暗がり用には夜光塗料が塗られてきたのであるが、全くの暗がりの中では光を蓄えることが出来ず、光を全く発することが出来ない。その不十分性に気付いてこれを改良しようとした人は全く現れなかった。
人と言うものは与えられた物や環境をそれはそう言うものだとして抵抗なく受け入れて、その不十分性に対して何ら不満を持たないものらしい。文明が停滞し、やがては崩壊してしまった民族は歴史上可なりあるが、それは人間の文明・文化に対する不感症性から生じる文明・文化の不易性にあると思える。
現在の日本はまさにこの状態にあり、生きて行けさえすれば、現状のままで構わないと言う生態に陥没してしまっている。それどころか、新しさを求める人を詰まり儲ける可能性のある人を国民挙げて疎外すると言う状況にある。この状態を突き破ると言う気概が国民の中の主だった人に湧いてこない限り、日本は益々深淵に落ち込んでしまう。
イギリス病はサッチャーと言う進取の気性の旺盛な若い一女性の出現によって救われた。その当時の日本にはそれに倣って改革を叫んだ人は多かったが、それにサッチャーのような具体的な提案が伴わず、時代の停滞を回天できる人は出なかった。
私はエネルギー問題の解決から始まって本発明まで、経済政治思想を添えて、具体的提案を数々行なってきたが、誰からも疎外され、それらが未だ回天の原動力となっていない。
国民はまだまだ現代と言う同和時代の桎梏に沈没してしまわないと、不正に対して立ち上がらなくてはならないと言う自覚に目醒めることはないのかも知れない。大正期から昭和初期までのように、数え切れないほどの餓死に近い人々が続出しないと、国や民衆を善導しなくてはどうにもならないと言うことにはならないのかも知れない。
経済を具体的に動かす策、サッチャーで言えば石油資源開発、を伴わない制度弄りでは、幾らそれを繰り返しても、失業者を排出するだけで、時代の革新とはならない。即ち有用な発明の出ない、あるいは出ても受け入れようとしない国民性を誰かが打ち破らないと、経済政治を立て直すことは不可能であろう。それを可能とするには、罪や負債などの所謂借りを思い切って破産と言う形で一切清算してしまい、国民挙って罪を贖罪すると言う前提条件が是非とも必要である。
救国の同志を求めて止まない。
(57)【要約】［課題］目覚し時計と貯金箱の効果をあげる為に、アラームストップ方法を入金とする目覚し時計を提供する。［解決手段］目覚し時計本体▲１▼にコイン投入口▲２▼をつけ、入金表示▲３▼が設定額表示▲４▼まで達したらアラームがストップする機能を持たせる。又、内部には貯金箱▲１１▼が入っている。【選択図】図１
2004117332.tif 000002
【特許請求の範囲】
【請求項１】
アラームのストップ方法を入金にすることで簡単にストップ出来なくなると供に、お金を無駄に出来ない意識も利用し起きる確率をアップさせる貯金箱。
【発明の詳細な説明】
【０００１】
［発明の属する技術分野］
本発明は、起きる目的の目覚し時計の効果をよりアップさせる為、アラームのストップ方法を入金によるものにしたものである。
金額は設定可能とする。又、起きる為に入金をせざるをえないので、貯金箱としても大きな効果が期待できる。
【０００２】
［従来の技術］
従来の目的の目覚にもアラーム音、等、様々な工夫がなされていたが、アラームストップ方法としての入金はなかった。
【０００３】
［発明が解決しようとする課題］
寝起きで意識もはっきりしない時、等に目覚し時計のアラーム音を簡単にストップ出来てしまうと、再び眠ってしまう事がある。
又その際に実感しやすいリスクが無いので、起きる事に対して甘くなってしまう。本発明はこの課題を解決するみのである。
【０００４】
［課題を解決する手段］
アラームのストップ方法をボタン等でなく設定金額までの入金とすることでしっかりとした動作が必要となり、目覚まし効果があがると供に、入金といったリスクが実感でき、今起きる事への価値を認識することになる。
【０００５】
［発明の実地の形態］
以下、本発明の実地の形態について説明する。
イ）目覚し時計本体▲１▼にコイン投入口▲２▼をつけてある。
ロ）入金表示▲３▼の金額が設定額表示▲４▼の金額まで達した時にアラームがストップする機能をもつ。尚、おつりはでない。
ハ）設定額表示▲４▼の横には金額設定の為の、アップボタン▲５▼とダウンボタン▲６▼が付いている。
二）設定時間の表示方法は本発明の概念とは、あまり関係していないが図面上には設定時間表示▲７▼として描いてある。又、設定の為のボタン▲８▼がある。
ホ）アラーム設定スタートボタン▲９▼があり、これを押すと確認ランプ▲１０▼が付く事になる。尚ボタンを再度押しても解除はされない。
設定時間の変更は可能である。
ヘ）内部には貯金箱▲１１▼があり、投入されたお金がたまっている。
【０００６】
［発明の効果］
目覚し時計のアラームストップ方法に入金の方法をとる事で動作と意識の両面から起きる事への効果が期待できる。又、長続きしなくなってしまいがちな貯金箱も長く使用でき、目覚し時計が強制力となり効果が期待できる。
【図面の簡単な説明】
【図１】本発明の正面図である
【図２】本発明の断面図である
【符号の説明】
▲１▼　目覚し時計本体
▲２▼　コイン投入口
▲３▼　入金表示
▲４▼　設定額表示
▲５▼　アップボタン
▲６▼　ダウンボタン
▲７▼　設定時間表示
▲８▼　設定の為のボタン
▲９▼　アラーム設定スタートボタン
▲１０▼　確認ランプ
▲１１▼　貯金箱
【図１】
2004117332.tif 000003
【図２】
2004117332.tif 000004
(57)【要約】　　　（修正有）【課題】負荷状態においても、各半導体の温度分布が均一になるようにする。【解決手段】トイレは断熱材で作り、半導体の、のる部分を、アルミにする。ジャケットは、断熱材で作り、トレイのアルミに接する部分は、アルミ製の器とし、この器に温水、又は、冷却水を流す。ひとつひとつの半導体に独立して、器→トレイのアルミ→半導体と伝熱され、このルート以外には伝熱されない。したがって、半導体の通電による熱は、他へは拡がらないので、中央部分の半導体の温度が高く、外側部に行くにしたがって温度が低くなる問題が解決する。【選択図】図６
2004117333.tif 000002
【特許請求の範囲】
【請求項１】
温度分布を均一にするために、半導体への伝熱部をひとつひとつ独立させ、必要半導体数、設ける。
【発明の詳細な説明】
【０００１】
［発明の属する技術分野］
本発明は、半導体のバーイン装置である。
【０００２】
［従来の技術］］
従来の技術を図面を参照して説明する。
図１〜図４は、従来の技術である。
半導体をある温度の零囲気で、長時間電流を流して、検査することをバーインと呼び、この装置はバーイン装置である。
半導体を、アルミ製のトレイに入れ、そのトレイをジャケットにセットする。ジャケットもアルミ製で溝が付いており、この溝に、温水又は冷却水を流して、温度制御する。この図では、ジャケット１枚にトレイ１枚として画いているが、通常ジャケットは１枚で、その上にトレイが複数枚、セットされる。
トレイ、１枚における温度分布は、半導体に電流を流さない時（無負荷の状態という）は均一であるが、電流を流した時（負荷の状態−この状態が検査している状態）は、中央部が温度が高く、外側に行くに従って低くなる。（これは、各半導体の熱が、となりにも伝わることによる）この現象は、半導体の電流値が、大きければ大きい程、大きくなる。
従来は、半導体の電流は、それほど大きくなかったため、この現象は、無視できたが、近年、半導体は大出力化されて来て、電流値も大きくなり、この現象が、問題となっている。
図１は、セットされたものを上から見た図。
図２は、各々を、側面から見た図。
図３は、セットされたものを側面から見た図。
図４は、配管系統図。
【０００３】
［発明が解決しようとする課題］
負荷状態においても、各半導体の温度分布が均一になるようにする。
【０００４】
本発明は、負荷状態における各半導体の温度分布を均一にする。
【０００５】
［課題を解決するための手段］
上記目的を達成するために、半導体への伝熱部をひとうひとつ独立させ、必要半導体数設ける。
【０００６】
［発明の実施の形態］
発明の実施の形態を実施例にもとずき図５〜図８を参照して説明する。
図６のトレイは断熱材で作り、半導体の、のる部分を、アルミにする。
図６のジャケットは、断熱材で作り、トレイのアルミに接する部分は、アルミ製の器とし、この器に温水、又は、冷却水を流す。
図７は、組み合わされた図で、ひとつひとつの半導体に独立して、器→トレイのアルミ→半導体と伝熱され、このルート以外には伝熱されない。
したがって、半導体の通電による熱は、他へは拡がらないので、中央部分の半導体の温度が高く、外側部に行くにしたがって温度が低くなる問題が解決する。
図８は、系統図である。入タンクと出タンクは、各器への水量が均一になるようにするために設ける。
【０００７】
［発明の効果］
この装置では、高出力半導体で電流を流しても、個々の温度分布は、均一であった。
【図面の簡単な説明】
【図１】従来の、組合せの上面図
【図２】従来の、各部の側面図
【図３】従来の、組合せの側面図
【図４】従来の、配管系統図
【図５】本発明の、組合せの上面図
【図６】本発明の、各部の側面図
【図７】本発明の組合せの側面図
【図８】本発明の配管系統図
【図１】
2004117333.tif 000003
【図２】
2004117333.tif 000004
【図３】
2004117333.tif 000005
【図４】
2004117333.tif 000006
【図５】
2004117333.tif 000007
【図６】
2004117333.tif 000008
【図７】
2004117333.tif 000009
【図８】
2004117333.tif 000010
(57)【要約】【課題】立体表示ができる立体ラベルを提供する。【課題の解決手段】立体ラベル１は、表示シート２と基部シート３と剥離紙４を備え、基部シート３と剥離シート４は剥離可能に接着し、表示シート２には不連続部８を有する切り込み７を設けて立体表示部９を区画形成し、立体表示部９の外側部分は基部シート３と剥離困難に接着し、立体表示部９の基端部分における長方形の短辺の一方に対応する切り込み７に沿った裏面には粘着剤を設け、この粘着剤に対接する基部シート３面には剥離剤を設け、立体表示部９の裏面における粘着剤設置部分を除いた部分は、基部シート３に対して非接着状態として離反可能に構成する。立体表示部９を起立し、基端部分の端部同士を粘着剤で接着して起立状態を維持する。【選択図】　　図１
2004117638.tif 000002
【特許請求の範囲】
【請求項１】
基部シートの裏面に粘着剤を塗布して剥離紙で被覆する一方、前記基部シートの表面には、一部で不連続な切り込みによって立体表示部を区画形成した表示シートを、前記立体表示部は離反可能に、前記立体表示部以外の部分は剥離困難に接着し、前記立体表示部には、この立体表示部を基部シートから離反して起立後に起立状態を維持する起立維持構造を設けたことを特徴とする立体ラベル。
【請求項２】
起立維持構造は、表示シートの裏面に立体表示部の内側に沿って設けた、起立部を部分的に接着するための粘着剤からなる一方、基部シートの前記粘着剤との対接面には剥離剤を設けたことを特徴とする請求項１記載の立体ラベル。
【発明の詳細な説明】
【０００１】
【発明の属する技術分野】
本発明は、ラベルに関し、特に、その一部を起立して立体的な表示ができる立体ラベルに関する。
【０００２】
【従来の技術】
従来のラベルは、平面的な構造であるため、各種情報の表示はラベル表面に平面的になされている（例えば、特許文献１参照）。
【０００３】
【特許文献１】
実用新案登録第２５８１２６８号公報（図３）
【０００４】
【発明が解決しようとする課題】
このため、従来においては、ラベルを広告媒体として使用する場合には、広告文や広告写真がラベル表面に平面的に表示されているので、顧客の注意を喚起して、広告内容を伝達する機能が弱いという不都合があった。本発明はこの不都合を解消した立体ラベルを提供することを目的とする。
【０００５】
【課題を解決するための手段】
この目的を達成するため、本発明の請求項１に係る立体ラベルは、基部シートの裏面に粘着剤を塗布して剥離紙で被覆する一方、前記基部シートの表面には、一部で不連続な切り込みによって立体表示部を区画形成した表示シートを、前記立体表示部は離反可能に、前記立体表示部以外の部分は剥離困難に接着し、前記立体表示部には、この立体表示部を基部シートから離反して起立後に起立状態を維持する起立維持構造を設けたものである。
【０００６】
同じく上記目的を達成するために、本発明の請求項２に係る立体ラベルは、上記請求項１記載の構成において、起立維持構造は、表示シートの裏面に立体表示部の内側に沿って設けた、起立部を部分的に接着するための粘着剤からなる一方、基部シートの前記粘着剤との対接面には剥離剤を設けたことを特徴とする。
【０００７】
【発明の実施の形態】
以下、本発明の好適な実施形態を添付図面に基づいて詳細に説明する。ここにおいて、図１は立体ラベルの表示シート面を示す斜視図、図２はそのＡ−Ａ線断面図、図３は立体表示部を起立した状態を示す斜視図、図４は立体表示状態を示す斜視図である。
【０００８】
図１及び図２に示すように、立体ラベル１は、上から順に、表示シート２と基部シート３と剥離紙４の３枚のシートを重ね合わせてなる。そして、前記基部シート３と前記剥離シート４は粘着剤６を介して剥離可能に接着している。一方、前記表示シート２には不連続部８を有する切り込み７を設けて立体表示部９を区画形成している。この立体表示部９は、前記不連続部８側の長方形状の基端部分と、この基端部分に続くほぼ正方形状の連接部と、この連接部に続く円形状の先端部とからなる。
【０００９】
立体表示部９の外側部分は、裏面側に設けた粘着剤５で前記基部シート３と剥離困難に接着している。また、立体表示部９の基端部分における長方形の短辺の一方に対応する切り込み７に沿った裏面には、粘着剤５ａを設け、この粘着剤５ａに対接する基部シート３面には剥離剤１０を設けている。さらに、前記立体表示部９の裏面における前記粘着剤５ａ設置部分を除いた部分は、前記基部シート３に対して非接着状態で離反可能に構成している。なお、図示してはいないが、立体表示部９を含む表示シート２の表面には、各種広告情報や宣伝情報を表示するものである。
【００１０】
本実施形態は以上のように構成したので、図３に示すように、表示シート２の切り込み７の内側に対応する立体表示部９を、基部シート３から離反して立ち上げ、基端部を円筒状に丸めて、粘着剤５ａで端部同士を接着すると、図４に示すように、垂直な起立状態を維持することができる。
【００１１】
このように、立体表示部９を起立状態に維持することができ、また、必要に応じて、剥離紙４を剥離して、露出した粘着剤６により基部シート３を適所に貼着できるので、広告媒体として有効なものとなる。
【００１２】
なお、本発明は、上述した実施形態に限定されるものではなく、例えば、立体表示部９の形状は図示例のほか適宜変更可能である。また、起立維持構造は、立体表示部９の裏面に設けた粘着剤５ａのほか、凸部とこの凸部を挿入する切り込みの組み合わせで構成することもできる。さらに、立体表示部９の起立状態は、垂直状態のほか、傾斜状態でもよい。またさらに、起立維持構造は、立体表示部９の基端部以外に設けてもよいものである。加えて、立体表示部９の非接着状態にある部分を、剥離可能な接着剤を介して、基部シート３に剥離可能に接着してもよいし、この剥離可能な接着剤を起立維持構造に利用することもできる。
【００１３】
【発明の効果】
以上説明したところで明らかなように、本願の請求項１に係る発明によれば、ラベルの一部を起立して立体的に表示できるので、宣伝広告媒体としての機能が向上し、有効に活用できるという効果を奏する。
【００１４】
また、本願の請求項２に係る発明によれば、上記請求項１の発明に係る効果に加えて、立体表示部の起立状態の維持を確実になし得るという効果を奏する。
【図面の簡単な説明】
【図１】立体ラベルの表示シート面を示す斜視図。
【図２】図１のＡ−Ａ線断面図。
【図３】立体表示部を起立した状態を示す斜視図。
【図４】立体表示状態を示す斜視図。
【符号の説明】
１　　　立体表示ラベル
２　　　表示シート
３　　　基部シート
４　　　剥離紙
５，５ａ，６　　　粘着剤
７　　　切り込み
８　　　不連続部
９　　　立体表示部
１０　　　剥離剤
【図１】
2004117638.tif 000003
【図２】
2004117638.tif 000004
【図３】
2004117638.tif 000005
【図４】
2004117638.tif 000006
(57)【要約】【課題】タンク１内の液体がハルツＨ（残さ）を含んである場合、タンク１の底面にハルツＨが沈殿する。沈殿したハルツＨがゲージバルブ２１に達するとゲージバルブ２１が閉塞され、ゲージ管２の液面の高さがタンク１内の液面の高さに一致しなくなる。【解決手段】ハルツＨを沈降させ堆積する沈降部４を設けると共に、ゲージ管２に連通する連通管５の開口端５１を沈降部４の底部４１よりも高い位置に設け、堆積したハルツＨが連通管５内に侵入しないようにした。また、堆積したハルツＨは開閉バルブ６を開弁することにより容易に沈降部４から抜き出すことができるようにした。【選択図】　図１
2004117148.tif 000002
【特許請求の範囲】
【請求項１】
液体が貯留されるタンクの底面に、この貯留された液体中に含まれる固体成分が沈降する沈降部を設けると共に、この沈降部内の底部より所定距離上方に開口端を有する連通管を沈降部に取り付け、この連通管の他端をゲージ管の下端に接続したことを特徴とするゲージ管接続構造。
【請求項２】
上記沈降部の底部は開閉自在であることを特徴とする請求項１に記載のゲージ管接続構造
【請求項３】
上記沈降部の底部に開閉バルブを取り付け、この開閉バルブによって沈降部の底部を開閉することを特徴とする請求項２に記載のゲージ管接続構造。
【発明の詳細な説明】
【０００１】
【発明の属する技術分野】
本発明は、タンク内の液面の位置を見るためのゲージ管に用いられるゲージ管接続構造に関する。
【０００２】
【従来の技術】
図２を参照して、１はタンクであり内部に液体が貯留される。内部の液量を知るために、タンク１の内部に対して連通するゲージ管２がタンク１の横に取り付けられている。
【０００３】
このゲージ管２はタンク１の底部に取り付けられた分岐管１１を介してタンク１内に連通しており、タンク１内の液面の高さが変化すると、サイフォンの原理により連通管２内の液面はタンク１内の液面と連動して上下する。したがって、ゲージ管２の液面位置からタンク１内の液面の位置を知ることができる。なお、分岐管１１にはタンク１内の液体を移送するための配管が接続されている。
【０００４】
このようなゲージ管との取り付け構造は広く知られており、例えば特許文献１に同様の構造が示されている。
【０００５】
【特許文献１】
特開平１０−１０３６０１号公報（図１）
【０００６】
【発明が解決しようとする課題】
タンク１内の液体がハルツ（残さ）Ｈを含んでいる場合、タンク１内でハルツＨは沈降し、タンク１の底面に沈殿する。また、沈殿したハツルＨは分岐管１１内へと沈降し、さらにその一部はゲージ管２側に移動する。すると、このハツルＨによってゲージバルブ２１が閉塞されるおそれがある。
【０００７】
ゲージバルブ２１がハルツＨで閉塞されると、ゲージ管２内の液面の高さとタンク１内の液面の高さとが一致しなくなるが、外部からではゲージバルブ２１が開弁しているものと認識されるので、作業者はタンク１内の液面の高さを誤ってしまう。
【０００８】
また、ゲージバルブ２１がハルツＨにより閉塞されたことを認識した場合に、ゲージバルブ２１を取り外してハルツを除去しなければならないため、タンク１内の液体を一旦すべて排出しなければならない。
【０００９】
なお、このような不具合を解消するためには開口１２の周囲を筒状の防護壁で囲い、タンク１の底部に沈殿したハルツＨが開口１２内に流れ込まないようにすることが考えられる。しかし、既存のタンク１ではこのような防護壁を設けるためには作業者がタンク１内に入って溶接等の作業を行わなければならず、特に作業者が入れないタンクにはこのような防護壁を設けることができない。
【００１０】
そこで本発明は、上記の問題点に鑑み、ゲージバルブがハルツで閉塞することを防止するゲージ管接続構造を提供することを課題とする。
【００１１】
【課題を解決するための手段】
上記課題を解決するために本発明によるゲージ管接続構造は、液体が貯留されるタンクの底面に、この貯留された液体中に含まれる固体成分が沈降する沈降部を設けると共に、この沈降部内の底部より所定距離上方に開口端を有する連通管を沈降部に取り付け、この連通管の他端をゲージ管の下端に接続したことを特徴とする。
【００１２】
この構成によれば、ハルツ等の固体成分は沈降部内に集められ、一方、ゲージ管が連通する連通管はこの沈降部の底部よりも上方に開口しているので、連通管内に固体成分が侵入することがない。
【００１３】
なお、上記沈降部の底部は開閉自在であれば、沈降部内が固体成分で一杯になっても底部を開放することにより容易に固体成分を取り除くことができる。
【００１４】
さらに、上記沈降部の底部に開閉バルブを取り付け、この開閉バルブによって沈降部の底部を開閉するように構成すれば、さらに容易に固体成分を除去することができる。
【００１５】
【発明の実施の形態】
図１を参照して、上述の図２に示した符号と同じ符号のものは図２に示した従来のものと同じものである。本発明では、分岐管としても機能する沈降部４を開口１２に接続した。そして、この沈降部４の中間位置に配管３を連結した。
【００１６】
この沈降部４の底部４１には開閉バルブ６が接続されている。この開閉バルブ６は通常は閉弁されており、さらに蓋板６１が開閉バルブ６の開口部分に取り付けられている。タンク１内のハルツＨはこの沈降部４内に沈降し堆積するが、ある程度の量が堆積すると開閉バルブ６を開弁して沈降部４内のハルツＨを外部に抜き出すことができるようにした。なお、その際、開閉バルブ６の開弁に先立って蓋板６１を除去する必要があるが、蓋板６１を除去したあと、開閉バルブ６を徐々に開弁することにより容易にハツルＨを抜き出すことができる。ただし、開閉バルブ６を用いずに、沈降部４の底部４１を蓋板６１で閉塞してもよい。その場合には、蓋板６１を底部４１に締結しているボルトを少しずつ緩めることにより蓋板６１と底部４１との間に隙間を形成し、その隙間からハルツＨを抜き出すことができる。
【００１７】
沈降部４には連通管５が取り付けられている。この連通管５の開口端５１は沈降部４内に位置しており、かつ底部４１から所定の高さの位置に開口するように設定されている。また、この連通管５の他端はゲージバルブ２１を介してゲージ管２に接続されている。したがって、ゲージ管２の下端は連通管５を介してタンク１内に連通することになる。
【００１８】
また、開口端５１が底部４１よりも高い位置に設けられているので、沈降部４内にハルツＨが堆積しても連通管５内にハルツＨが侵入することはない。また、配管３は沈降部４の中間位置に接続されているので、同様に沈降部４内に堆積したハルツＨが配管３内に流れ込むことが防止される。
【００１９】
【発明の効果】
以上の説明から明らかなように、本発明は、ゲージ管内にタンク内の個体成分が侵入することやゲージバルブが個体成分によって閉塞されることを防止し、さらに、堆積した個体成分を容易に除去することができる。
【図面の簡単な説明】
【図１】本発明の一実施の形態の構成を示す図
【図２】従来のタンクの構成を示す図
【符号の説明】
１　タンク
２　ゲージ管
３　配管
４　沈降部
５　連通管
６　開閉バルブ
２１　ゲージバルブ
【図１】
2004117148.tif 000003
【図２】
2004117148.tif 000004
(57)【要約】【課題】デバイスのピン数が増加しても、低コストで、配線の相互干渉による測定精度の低下を最小限にとどめることのできる、高機能半導体デバイス試験治具を提供する。【解決手段】試験基板１の４個の金パッド２を１まとめにすることで、基板内のビアコンタクト４の間隔が広がって、試験基板内配線パターン５を１つの層に効率良く配置できるようになる。これにより試験基板の層数を減らすことができるので、基板のコストは大幅に下がり、層間の配線距離も狭くならないので、相互干渉が起こらず測定精度を保証できる。【選択図】図３
2004117105.tif 000002
【特許請求の範囲】
【請求項１】
試験基板上に４つずつ隣接した複数の金パッドと、
該金パッドと半導体デバイスの半田ボールピンを接続する接触子と、
４本の該接触子を束ねた構造と
を有することを特徴とする半導体デバイス試験治具。
【発明の詳細な説明】
【０００１】
【発明の属する技術分野】
本発明は、半導体デバイス試験治具において、配線数の増加に伴う基板の層数の増加を抑え、試験基板内配線の相互干渉を防止する試験治具に関する。
【０００２】
【従来の技術】
従来の半導体デバイス試験治具は、接触子を用いて、半導体デバイス底面の半田ボールピンと試験基板との接触が図られていた（例えば、特許文献１参照。）。
【０００３】
図５及び図６に示すように、従来の試験基板１の金パッド２は、被試験装置の半導体デバイス６の半田ボールピン７の位置に合わせて等間隔に並んでいる。
【０００４】
図６及び図７（ａ）に示すように、試験基板１の金パッド２上に直立した接触子３によって、被試験装置の半導体デバイス６の半田ボールピン７は金パッド２と接続される。接触子３は半田ボールピン７の中央部に当たり、バネを内蔵した伸縮構造となっているので、被試験装置の半導体デバイス６が乗せられることによりバネが縮み、接触がとられる。
【０００５】
図７（ｂ）に示すように、試験基板１内部には、金パッド２から内部配線へつながる基板内ビアコンタクト４が垂直方向に配線されており、２本のビアコンタクト４の間に試験基板内配線パターン５が、水平方向に１層につき１本の割合で配線されている。
【０００６】
【特許文献１】
特開平７−３０７５３７号公報（第３頁、第８図）
【０００７】
【発明が解決しようとする課題】
このように、半導体デバイス６の半田ボールピン７の中央部に１本の接触子が垂直に当たる構造としているため、金パッド２も半田ボールピン７の配置に合わせて等間隔に配置している。
【０００８】
図７に示すように、この金パッド２に接続された基板内ビアコンタクト４の間に試験基板内パターン５が配線されるが、基板内での配線パターン数が限られている。
【０００９】
一般的にデバイスのピン数が増加すると、試験基板内の配線数も増加し、試験基板を多数の階層に分ける必要がある。ところが、多数の階層に分けると、それに伴って試験基板のコストが上がるだけではなく、層間を薄くしなければならない為、層間配線間の相互干渉が起こり、測定精度が低下してしまう。
【００１０】
本発明の目的は、低コストで、配線の相互干渉による測定精度の低下を最小限にとどめることのできる、高機能半導体デバイス試験治具を提供することにある。
【００１１】
【課題を解決するための手段】
試験基板１の４個の金パッド２を１まとめにすることで、基板内のビアコンタクト４の間隔が広がって、試験基板内配線パターン５を１つの層に効率良く配置できるようになる。これにより試験基板の層数を減らすことができるので、基板のコストは大幅に下がり、層間の配線距離も狭くならないので、相互干渉が起こらず測定精度を保証できる。
【００１２】
【発明の実施の形態】
［第一実施形態］
本発明の実施形態による、半導体デバイス試験治具について、図１乃至図４を用いて説明する。
【００１３】
図１は、本実施形態による試験基板表面図である。図２は、本実施形態による試験治具断面図であり、図３（ａ）はその拡大図である。図３（ｂ）は、試験基板内詳細図であり、図４は図３（ａ）を上面からみた図である。
【００１４】
図１に示すように、試験基板１上の金パッド２の配置を４個単位でまとめる。
【００１５】
図２及び図３（ａ）に示すように、試験基板１の金パッド２上に直立した接触子３によって、被試験装置の半導体デバイス６の半田ボールピン７は金パッド２と接続される。４本の接触子３は緩衝材８に挟まれて１本に束ねた構造となっている。各々の接触子３は金パッド２と半田ボールピン７近傍で曲線に曲げられ、板バネのように弾力をもち、金パッド２と半田ボールピン７と接触がとられる。
【００１６】
図４は、図３（ａ）の状態を上面から見た図で、金パッド２、半田ボールピン７、接触子３の位置関係を示す。
【００１７】
このように、金パッド２の配置を４個単位でまとめることにより、試験基板１内の試験基板ビアコンタクト４の配線パターン５領域を、従来技術より大幅に広げることができる。
【００１８】
この結果、図３（ａ）及び図３（ｂ）に示すように、試験基板内の配線を効率良く行なえるので、１層あたりの配線パターン数を増やすことができるので、層数を増やす必要が無くなる。
【００１９】
【発明の効果】
以上説明したように、本発明では４個の金パッドをまとめ、基板内ビアコンタクトの間隔を広げることによって、試験基板内の配線スペースの効率が良くなるので、１層あたりの配線パターン数を増やすことができる。よって、半導体デバイスのピン数が増えても、試験基板の層数を増やさなくても良いので、試験基板のコストを大幅に下げることができ、かつ、層間配線間の相互干渉が起きないので、測定精度の低下を防ぐことが可能となる。
【図面の簡単な説明】
【図１】本発明の実施形態による試験基板表面図
【図２】本発明の実施形態による試験治具断面図
【図３】本発明の実施形態による試験治具断面拡大図
【図４】本発明の実施形態による試験治具の拡大図
【図５】従来の試験基板表面図
【図６】従来の試験治具断面図
【図７】従来の試験治具断面拡大図
【符号の説明】
１…試験基板
２…金パッド
３…接触子
４…試験基板内金パッドからの内部配線へつながるビアコンタクト
５…試験基板内の配線パターン
６…半導体デバイス
７…半導体デバイスの半田ボールピン
８…緩衝材
【図１】
2004117105.tif 000003
【図２】
2004117105.tif 000004
【図３】
2004117105.tif 000005
【図４】
2004117105.tif 000006
【図５】
2004117105.tif 000007
【図６】
2004117105.tif 000008
【図７】
2004117105.tif 000009
(57)【要約】　　　（修正有）【課題】身体が不自由な方が、他人や異性等の手を借りて入浴する時、特に女性のプライバシーの確保と人権や尊厳の保護を目的とした介護用入浴身体保護具を提供する。【解決手段】水切りに富む、メッシュ及びレース素材のポリエステルに依り、膝丈のゆるやかな前面エプロン型で全体を二重仕立て２とする。二重仕立ての布が水中でふくらまないよう、全体の三ケ所に大きな間隔をおいて横目にミシンステッチ３を入れる。首ヒモ５は片方はしっかりと縫いつけ、片方は両テープ１で自在にとりはずせるよう、いづれも表面にとりつける。周りはバイヤステープでトリミング４し、取り扱い易く、又、綿バイアスに水が吸収することにより、入浴具の身体への定着もよい。【選択図】図１
2004000304.tif 000002
【特許請求の範囲】
【請求項１】
水切りに富む、メッシュ及びレース素材のポリエステルに依る、膝丈の介護用入浴保護具である。ゆるやかな前面エプロン型で全体を二重仕立てとする。二重仕立ての布が水中でふくらまないよう、全体の三ケ所に大きな間隔をおいて横目にミシンステッチを入れる。
首ヒモは片方はしっかりと縫いつけ、片方は面テープで自在にとりはずせるよう、いづれも表面にとりつける。
周りはバイヤステープでトリミングし、取り扱い易く、又、綿バイアスに水が吸収することにより、入浴具の身体への定着もよい。
脱着簡易なエプロン型の入浴身体保護着である。
【発明の詳細な説明】
【０００１】
【発明の属する技術分野】
本考案は、発水性網目布（メッシュ及びレース素材）を基調とした、介護用入浴身体保護具である。エプロン型の全体を二重仕立てとする。介護入浴が円滑に進むよう、又、二重の仕立ての布が分離しないよう、横目のミシンステッチを三ケ所入れる事に依って、身頃のズレを防ぐ。
首元は、着脱簡易の為、同素材のヒモに面テープを装着。この首元のヒモは、入浴具が身体から離れない為の工夫である。
介護入浴のプライバシーを守る為の入浴用身体保護具である。
【０００２】
【従来の技術】
従来、病人やお年寄りが介護入浴をする際、家族の前ではもちろん、人の手にゆだねる入浴はすべて裸であった。
又、所用の部分だけ、タオルが用いられていた。
【０００３】
【発明が解決しようとする課題】
現在の、介助による入浴方法は、▲１▼在宅入浴　▲２▼施設入浴　▲３▼機械入浴等、すべて人の手にゆだねて、入浴させてもらう、身体保護のない入浴である。人目にさらされている病人の家族と、本人のプライバシーを守る為、それを解決しようとするものである。
【０００４】
【課題を解決する為の手段】
上目的を達成する為、本考案は従来の「さらされている」スタイルから、網目布の素材で介護する側も、される側も、人権や尊厳を守り通す為の入浴具を提供する事にある。
【０００５】
【発明の実施の形態】
水切りに富む、ポリエステル網目布を使用し、更におしゃれ感覚も含め、着丈は膝丈とする。介護者に負担にならないよう、原型はゆるやかなカーブとソフトな素材を提供し、周りはしっかりとトリミングし、水の定着を促すよう、裾の両側は丸みをもたせる。
【０００６】
【発明の効果】
上述のように、考案は介護入浴の折、サポートする人のほとんどが異性であり、家族にとっても「さらされている」という「たまらない気持ち」への強い味方である。
【図面の簡単な説明】
【図１】介護用入浴身体保護具
１　面ファスナー
２　二重仕立ての身頃
３　三段階のステッチ
４　バイヤス　トリミング
５　首ひも
【図１】
2004000304.tif 000003
(57)【要約】［課題］（１）テニスの練習や試合をやった後、コートに散乱したボールを収集するのに時間が掛かる。（２）ボールを収集するのに人間がいちいち腰を曲げて１つ１つ拾い上げるため腰に負担がかかる。［解決手段］腰を曲げず立ったままの姿勢で、人力または動力を使ってボールを収集する機械。装置の前進と左右一対の回転板の回転によりボールを掬い上げ、収納網の中にボールを誘導する。収納網は容易に着脱ができる。【選択図】図１
2004000392.tif 000002
【特許請求の範囲】
【請求項１】
手を使わずにコートに散乱するテニスボール（主に硬式ボール。以下ボールと略称する）を効率よく拾い集める装置。本装置の前進と、装置の前方に取り付けた左右一対の回転板の回転（左側の回転板は上から見て時計まわり、右側の回転板は上から見て反時計まわりに回転）により本装置内部へボールを引き込む。一度内部に引き込まれたボールはもどり止め板により外部に戻ることは出来ない。本装置が前進すると内部に入ったボールは収納網の方に向かい、最終的にこの収納網の内部に納まる。
【請求項２】
ボールを収納後、このボール収納網は本装置の本体部より簡単に取り外すことが出来る。このボール収納網を、ボールを収納した状態で本体部より取り外し、網の口紐を絞り、口紐止めにより網の口が閉まった状態で固定する。
【請求項３】
本装置の上面には人が人力で本装置を押して前進させるための柄とにぎり棒がついている。本装置を前進させると主輪が回転し、この回転が歯車やプーリーなど介して、本装置の前方にある一対の回転板を回転させる。
【発明の詳細な説明】
［発明の属する技術分野］
【００１】
生活用品関連　　スポーツ関連器具
【００２】
［従来の技術］
従来テニスの練習や試合をやった後、コートに散乱しているボールを収集するのに１つ１つ手で拾って籠などに入れていた。　これは効率が悪い上に腰を曲げて拾うため腰の負担も大きかった。
【００３】
［発明が解決しようとする課題］
（１）テニスの練習や試合をやった後、コートに散乱したボールを回収するのに時間が掛かる。
（２）ボールを収集するのに人間がいちいち腰を曲げて１つ１つ拾い上げるため腰に負担がかかる。
【００４】
［課題を解決するための手段］
主輪及びボールを掻き込む回転板、取り込んだボールを収納する網などからなる装置。本装置は人力による前方への押し出し又は動力により主輪を回転させ前進する。主輪の回転は歯車、プーリーなどを介して回転板に伝えられ、回転板が回転する。本装置の前進と回転板の回転によりボールは本装置内に掻きこまれる。本装置の内部に掻き込まれたボールはもどり止め板により、外部もどることはない。本装置の前進により、ボールは本装置の後部に取り付けた収納網の中に移動する。収納網の中にボールがいっぱいになった時点で収納網を本体から取り外し、口紐を絞ってボールを収納網の内部に固定する。
本装置の上面に長い柄と柄の先端ににぎり棒をつけ、人はそのにぎり棒を握って腰を曲げることなく本装置を前進又は後退させることが出来る。ボールの掻きこみは本装置の前進の時に行われる。
【００５】
［発明実施の形態］
［実施例］
ボールを集める人はにぎり棒（符号１３）を握って立ったままの姿勢で本装置を前方に押し出す。本装置が前方に押し出されると主輪（符号１６）が回転する。主輪の回転は、歯車、プーリーなどを介して左右に対称についている回転板（符号２）に伝えられ、回転板が回転する。左側についている回転板は上から見て時計回りに、右側についている回転板は上から見て反時計まわりに回転する。二つの回転板の間に入ってきたボールは本装置の前進と回転板の回転により本装置の内部に掻きこまれる。本装置の内部に入ったボールはもどり止め板（符号６）により外部に戻ることは出来ない。本装置の前進により、本装置の内部に入ったボールは本装置の後方にあるボール収納用の網（符号１５）の中に納まる。網の中にボールがある程度たまったところで、この網を本装置本体から取り外し、口紐をしめ、ボールを網の内部に固定する。もどり止め板（符号６）はストッパーにより前方へは回転できないが、前方よりボールが入ってきた場合後方へ回転しボールを通過させ、ボールが通過した後、スプリング（符号５）により元の位置に戻る。本装置を後進させた場合、ボールは収納されないが運用上問題はない。主輪及び回転板の回転に動力を使ってもよい。
【００６】
［発明の効果］
テニスの練習又は試合の後で、コート上に散乱したボールを短時間に立ったままの姿勢で収集及び収納することが出来る。
【００７】
【図面の簡単な説明】
【図１】本装置の側面図
【図２】本装置の平面図
【図３】本装置の立面図（前方から見た図）
【図４】本装置の立面図（後方から見た図）
【図５】ボール収納網（本体から取り外した図。ボールを収納し、口紐を締めた状態）
【符号の説明】
１　　テニスボール
２　　回転板
３　　前輪
４　　ボールを掬う板
５　　スプリング
６　　（ボールの）もどり止め板
７　　ボールを収納網に導く傾斜板
８　　ウォームギア
９　　歯車
１０　　回転を伝えるプーリー
１１　　回転を伝えるベルト
１２　　回転を伝えるプーリー
１３　　にぎり棒
１４　　柄
１５　　ボールを収納する網
１６　　主輪
１７　　網の口紐
１８　　網の口紐止め
１９　　主輪の軸受け
２０　　柄と本体の接合部
２１　　軸受け
２２　　主輪の軸
２３　　網の開口部
【図１】
2004000392.tif 000003
【図２】
2004000392.tif 000004
【図３】
2004000392.tif 000005
【図４】
2004000392.tif 000006
【図５】
2004000392.tif 000007
(57)【要約】【課題】ベッドにふとんをしいたままベッドを折り畳み、ソファーにできるソファーベッドを提供する。【解決手段】支軸（１）を有し、床座（４）と、この床座を支持する脚（５）とでなる構造体１（２）と構造体２（３）を支軸（１）で連結して、床座の上に、構造体１（２）と構造体２（３）双方の床座を覆う布（６）『この布は隣り合う構造体の床座、下面内側に布に有する紐で固定され、布は床座下部内側から床座外側を通り床座上面へ回り込み、環状に相互の床座を覆う』の上に布団を敷き、ベッドとして使用する。そして床座下面の布には各床座面積と同等の大きさのクッション材を有しており、一方の構造体を布団を敷いたまま支軸（１）で回転させ、布団を格納し、ソファーとして使用する事を特徴とする。【選択図】　　図１
2004000391.tif 000002
【特許請求の範囲】
【請求項１】
支軸（１）を有する構造体１（２）と構造体２（３）が支軸（１）で連結してなるソファーベッドで、各構造体は、床座（４）と、この床座を支持する脚（５）と、床座の上に構造体１（２）と構造体２（３）双方の床座を覆う布（６）を有してなり、この布は隣り合う構造体の床座、下面内側に布に有する紐で固定され、布は床座下部内側から床座外側を通り床座上面へ回り込み、環状に相互の床座を覆う。また床座下面の布には各床座面積と同等の大きさのクッション材が、それそれに有する事を特徴とするソファーベッド。
【請求項２】
構成体１（２）もしくは構造体２（３）どちらかを、床座上面の布の上にしかれた布団とともに、長手方向に支軸（１）で回転させ一方の構造体の上に他方の構造体を重ね合わせることで、床座上面の布の上にしかれた布団は、構造体１と構造体２の隙間に折り畳まれ格納されソファー形状を成す事を特徴とする
【請求項１】
に記載のソファーベッド。
【発明の詳細な説明】
【０００１】
【発明の属する技術分野】
この発明は、ベッドにふとんをしいたままベッドを折り畳み、ソファーにできるソファーベッドに関するものである。
【０００２】
【従来の技術】
従来よりあるソファーにもなるベッドは、ふとんをベッドから取り除いてからベッドを変形させてソファーにするため、ふとんを取り除く手間がかかる。
【０００３】
【発明が解決しようとする課題】
これは次のような欠点があった。
イ　従来のソファーベッドを使用した時は、ふとんをベッドから取り除かなくてはならず手間がかかった。
ロ　取り除いたふとんをかたずけるスペースかなく、結局ベッドもしくはソファーどちらかの機能しか、はたさないことが多かった。
本発明は、以上の欠点を解決するためになされたものである。
【０００４】
【課題を解決するための手段】
支軸（１）を有し、床座（４）と、この床座を支持する脚（５）とでなる構造体１（２）と構造体２（３）を支軸（１）で連結して、床座の上に、構造体１（２）と構造体２（３）双方の床座を覆う布（６）『この布は隣り合う構造体の床座、下面内側に布に有する紐で固定され、布は床座下部内側から床座外側を通り床座上面へ回り込み、環状に相互の床座を覆う』の上に布団を敷き、ベッドとして使用する。そして床座下面の布には各床座面積と同等の大きさのクッション材を有しており、一方の構造体を布団を敷いたまま、支軸（１）で回転させソファーとして使用する。
本発明は、以上の構成・方法よりなる、布団格納式ソファーベッドである。
【０００５】
【発明の実施の形態】
以下、本発明の実施の形態を説明する。
イ　支軸（１）を有し、床座（４）と、この床座を支持する脚（５）とでなる構造体１（２）と構造体２（３）を支軸（１）で連結する。
ロ　床座の上に、構造体１（２）と構造体２（３）双方の床座を覆う布（６）『この布は隣り合う構造体の床座、下面内側に布に有する紐で固定され、布は床座下部内側から床座外側を通り床座上面へ回り込み、環状に相互の床座を覆い、床座下面の布には各床座面積と同等の大きさのクッション材を有す』を設ける。
ハ　布（６）の上に布団を敷き、ベッドとして使用する。
ニ　構成体１（２）もしくは構造体２（３）どちらかを、床座上面の布の上にしかれた布団とともに長手方向に支軸（１）で回転させ床座上面の布の上にしかれた布団は、構造体１と構造体２の隙間に折り畳まれ格納されソファーとして使用する。
本発明は、以上の構成・方法からなっている。
【０００６】
【考案の効果】
一人暮らしなど１ルームの狭い部屋で、ソファーとベッド双方を所有することは難しい。通常フローリングの床に直接布団を敷くのに抵抗があり、ソファーよりもベッドを優先させ購入する。かといって従来のベッドを変形させてソファーになるソファーベッドでは、布団をしまうスペースが無く、布団は敷きっぱなしで、ソファーの役割を果たせない。そういった人のために、狭いスペースで布団の格納もしてくれる本発明品は、ソファーかベッドどちらかしか部屋におけない、という現代の若者の苦悩を和らげる。
【０００７】
【図面の簡単な説明】
【図１】本発明の斜視図である。
【図２】本発明の斜視図である。
【図３】本発明の断面図である。
【図４】本発明の裏側斜視図である。
【図５】本発明の使用状態を示す斜視図である。
【符号の説明】
１　支軸
２　構造体１
３　構造体２
４　床座
５　脚
６　布
７　紐
８　クッション
９　布団
【図１】
2004000391.tif 000003
【図２】
2004000391.tif 000004
【図３】
2004000391.tif 000005
【図４】
2004000391.tif 000006
【図５】
2004000391.tif 000007
(57)【要約】【課題】不幸にして、事故、高齢障害及び身体障害等、自分の体を自由に動かす事ができなくなり寝たままになった時、排泄の問題は深刻である。【解決手段】本発明は、新築及び改築の時、障害者寝室に排水管と給水管を敷設しておくことにより、不幸になった時、排泄処理ベッド一体型と連結する事で寝たままで介護人の手間を最小限に削減し、本人の精神的負担も軽減でき排泄をスムーズにおこなえるバリアフリートイレである。【選択図】　図３
2004000386.tif 000002
【特許請求の範囲】
【請求項１】
新築及び改築するにあたり、本発明床下に下水道（ト）又は浄水層に導く排水管（Ｇ）、及び給水管（Ｎ）を施設し、これに本発明水洗便器式ベッド（Ｉ）を接続することにより，寝たまま小及び大便の用をたすことの機能を持つ。
【請求項２】
専用ベッド本体（Ｉ）と水洗式便器（Ａ）を一体化し又は分離しサイフォン式で排泄物を排水用弾力性連絡管（Ｂ）を通じ処理する。これより処理される排泄物は床下に配管された排水管（Ｇ）に連結して、下水道又は浄水層に導かれ、最終処理される。
【請求項３】
人体局部を洗浄、乾燥ができ便器本体内（Ａ）も清掃できる。又、臭いも吸収し排泄物共処理できる機能を持つ。
【請求項４】
水洗式便器（Ａ）よりの排泄物処理用、排水用弾力性連絡管（Ｂ）取付部と床下排水管の連結部（Ｎ）は、自在性部材を使用することにより、取り外しが自由である。又、便器よりの給水用弾力性連絡管（Ｌ）と床下給水管（Ｈ）の連結部（Ｎ）も自在性部材を使用することにより、取り外しが自由である。
【請求項５】
局部と便器本体（Ａ）の装着部（Ｏ）には弾力性水蜜着剤（Ｅ）を使用し水漏れ及び悪臭を防止できる。
【請求項６】
通常、水洗式便器（Ａ）は専用ベッド本体（Ｉ）の中に格納され普通のベッドとして利用され、大、小排泄使用時は、手元ペンダント（Ｐ）を操作することにより、乗降機（Ｃ）稼働させ水洗式便器（Ａ）自体が専用ベッド本体（Ｉ）のうえに上がり排泄処理される。使用後は、再び乗降機（Ｃ）を稼働することにより、水洗式便器（Ａ）自体が専用ベッド本体（Ｉ）の中にさがり格納される。
【請求項７】
まったく本人自体の自由がきかない時は、常に装着し排泄物感知センサーにて感知し、小便、大便を区別し自動的に排泄処理し、局部の洗浄及び乾燥、水洗式便器（Ａ）内の清掃及び防臭効果の機能をもつ自動水洗式便器である。
【請求項８】
本人の意識がはっきりしていて、下半身だけが不自由な場合手元ペンダント（Ｐ）にて手動操作できる機能をもつ手動水洗式便器である。
【発明の詳細な説明】
【０００１】本発明は、これから新築及び改築するにあたり、床下中に給水管（Ｈ）及び排水管（Ｇ）を布設した管に、専用ベッド（Ｉ）と水洗式便器（Ａ）を一体化し又は分離し、排水用弾力性連絡管（Ｂ）及び給水用弾力性連絡管（Ｌ）を連結し、仰臥したまま排泄でき排泄物を下水道管（ト）又は浄化槽にて最終処理できるベッド水洗式便器である。
【発明の属する技術分野】
【０００２】本発明は、自力で容易に排泄できない人に仰臥したまま排泄し、洗浄及び乾燥及び防臭効果のある、排泄物を最終処理できるベッド水洗式便器である。
【従来の技術】
【０００３】おむつ又はさし込み式便器、及び座椅子式便器など。
【発明が解決しようとする課題】
【０００４】本人の不自由な体により、寝たきりになった時、容易な排泄及び、排泄後の処理、看護人の手間の削減及び、おむつ使用等など長期にわたる経費の削減及び本人の心理的負担を削減することができる。
【課題を解決するための手段】
【０００５】本発明は排泄に使用しない時は、普通の看護ベッドとして使用し、排泄に使用する時は、手元ペンダント（Ｐ）を操作し専用ベッド本体（Ｉ）の下に収納してある装着部（Ｏ）を人体局部に直接蜜装着し、小便及び大便を排泄し、人体局部及び水洗式便器（Ａ）内を洗浄及び乾燥させ、水洗式便器（Ａ）から排水用弾力性連絡管（Ｂ）を通し、床下に配管してある排水管（Ｇ）と連結（Ｎ）し、下水及び浄化槽へ処理し清潔に保つ。使用後はペンダントを操作し、水洗式便器（Ａ）を専用ベッド本体（Ｉ）の下に収納し、普通の看護ベッドとして使用する。
【発明の実施の形態】
【０００６】本発明は新築及び改築をするにあたり、床下に排水管（Ｇ及び給水管（Ｈ）を布設し、水洗式便器（Ａ）からの排水用弾力性連絡管（Ｂ）及び給水用弾力性連絡管（Ｌ）と連結し洗浄水を給水し、排泄物を下水道及び浄化槽へ処理する。
処理方法として、自動センサー又は手動にて本人及び看護人により操作する。
【実施例】
【０００７】自宅の寝室床下に排水管（Ｇ）及び給水管（Ｈ）を布設し、水洗式便器（Ａ）からの排水用弾力性連絡管（Ｂ）及び給水用弾力性連絡管（Ｌ）を連結します。その専用ベッド（Ｉ）に体の不自由な人を寝かせます。ペンダント（Ｐ）を操作し排泄を処理し、使用後、水洗式便器（Ａ）を専用ベッドの下へ収納し普通の看護ベッドとして使用します。
【０００８】看護施設の寝室床下に排水管（Ｇ）及び給水管（Ｈ）を布設しま
す。あとは
【０００７】と同様、看護人又は本人の意志でペンダント（Ｐ）を操作し使用します。
【発明の効果】
【０００９】これからの看護、特に排泄に関しては本人の恥じらいはもとより看護人の過大なる苦労、そのうえ、おむつ等を使用することにより膨大な経費がかかる。新築及び改築にあたり排水管（Ｇ）及び給水管（Ｈ）を布設することにより、本発明の水洗式便器（Ａ）と連結し、ペンダント（Ｐ）を操作し排泄後、本人の局部及び水洗式便器（Ａ）内を洗浄及び乾燥し防臭効果のあることでこれらを解決できる。
【図面の簡単な説明】
【図１】「
【実施例】
【０００７】の家屋内床下配管図を示した平面図である。」
【図２】「
【実施例】
【０００８】の家屋内床下配管図を示した平面図である。」
【図３】「洗浄及び乾燥一連水洗便器式ベッドの使用時を示した断面図である。」
【図４】「洗浄及び乾燥一連水洗便器式ベッドの使用時を示した平面図である。」
【符号の説明】
Ａ　水洗式便器　　　　　　　　　　１　病室
Ｂ　排水用弾力性連絡管　　　　　　２　女便所
Ｃ　可動式乗降機　　　　　　　　　３　男便所
Ｄ　センサー付き防水蓋　　　　　　４　ナース室
Ｅ　弾力性蜜着材　　　　　　　　　５　洗面所
Ｆ　可道式収納蓋　　　　　　　　　６　浴室
Ｇ　排水管　　　　　　　　　　　　７　便室
Ｈ　給水管　　　　　　　　　　　　イ　寝室
Ｉ　専用ベッド本体　　　　　　　　ロ　居間
Ｊ　洗浄口及び乾燥口　　　　　　　ハ　台所
Ｋ　洗浄水溜ロータンク　　　　　　ニ　玄関
Ｌ　給水用弾力性連絡管　　　　　　ホ　隣地
Ｍ　排泄物感知センサー　　　　　　ヘ　配水管
Ｎ　連結部　　　　　　　　　　　　ト　下水管
Ｏ　装着部　　　　　　　　　　　　チ　道路
Ｐ　ペンダント又は操作盤
【図１】
2004000386.tif 000003
【図２】
2004000386.tif 000004
【図３】
2004000386.tif 000005
【図４】
2004000386.tif 000006